(57)【要約】【課題】  屋外に設置する燃料油タンクの送油口に関係する危険に対処でき、既に設置してある燃料油タンクにも取り付けられる燃料油タンクの防護カバーを提供する。【解決手段】  タンク１下面と地面Ｅの間に防護カバー10を設けて送油口６とそれに連なる送油管７を収容し、タンク１下面の耳部に取り付け固定する取付ブラケット20を設け、取付ブラケット20に背面上防護カバー12を固定し、背面上防護カバー12に正面上防護カバーを固定し、正面上防護カバーの下方に上下位置を調節自在に正面下防護カバーを固定し、背面上防護カバー12の下方に上下位置を調節自在に背面下防護カバー14を固定した。【選択図】図３
0003115857.tif 000002
【実用新案登録請求の範囲】
【請求項１】
燃料油を貯蔵するタンクを支持し四隅に位置する脚を設け、タンク下面に送油口を設けた燃料油タンクにおいて、タンク下面と地面の間に防護カバーを設けて送油口とそれに連なる送油管を収容し、タンク下面の耳部に取り付け固定する取付ブラケットを設け、取付ブラケットに背面上防護カバーを固定し、背面上防護カバーに正面上防護カバーを固定し、正面上防護カバーの下方に上下位置を調節自在に正面下防護カバーを固定し、背面上防護カバーの下方に上下位置を調節自在に背面下防護カバーを固定した燃料油タンクの防護カバー。
【請求項２】
取付ブラケットを正面取付ブラケットと背面取付ブラケットで構成し、正面取付ブラケットと背面取付ブラケットでタンク下面の耳部を挟み、正面取付ブラケットにタンク下面に接当する正面支持片を設け、背面取付ブラケットにタンク下面に接当する背面支持片を設け、正面取付ブラケットと背面取付ブラケットを締め付ける締付ボルトを設け、背面取付ブラケットに背面上防護カバーを固定する請求項１記載の燃料油タンクの防護カバー。
【請求項３】
正面取付ブラケットまたは背面取付ブラケットのタンク下面の耳部側に小面積で突出する複数の滑り止め突起を設け、締付ボルトを締め付けたとき滑り止め突起がタンク下面の耳部に食い込むようにした請求項２記載の燃料油タンクの防護カバー。
【考案の詳細な説明】
【技術分野】
【０００１】
本発明は、寒冷地で使用される燃料油ストーブや暖房・給湯用ボイラー等の燃料油（主に白灯油）タンクで、屋外に設置する燃料油タンクの送油口に関係する危険に対処した防護カバーに関する。
【背景技術】
【０００２】
屋外に設置する燃料油タンクでは、タンク下面に燃料フィルターや水抜き栓を供えた送油口を設け、送油口に連なる送油管を地面の下を通して屋内の燃料油ストーブや暖房用ボイラーに連結している。
【０００３】
このような屋外に設置する燃料油タンクでは、夜間に送油管を切断して油を流出させる、流出した油に火を着けるという危険な事件が発生している。
【０００４】
そこで、タンク下面の送油口とそれに連なる送油管を覆うようにして、送油口に関係する危険に対処したものが知られている。
【０００５】
例えば、意匠登録第１２０７２０６号公報に示されるように、タンク下面の送油口と地面の間に高さ方向に伸縮自在な上下の筒状のカバーを設け、その筒状のカバー内に送油口とそれに連なる送油管を収納し、カバー上部の送油口に対応する位置に施錠可能な開閉扉を設けたものである。伸縮自在としているのは、タンク下面から地面までの距離が異なる場合があり、その上下に開口を生じさせないようにするためである。
【０００６】
またその取り付けは、上方に位置する外筒の上端を燃料油タンクの下部に固定し、下方に位置する内筒は地面より下方でアンカーネジにより固定し、内筒は外筒に対して摺動自在に遊嵌されている。
【特許文献１】意匠登録第１２０７２０６号公報
【考案の開示】
【考案が解決しようとする課題】
【０００７】
上記の送油口と地面の間に筒状のカバーを設けたものでは、新規に燃料油タンクを設置する場合には、その筒状のカバー内にそれに見合うように送油管を連結することは可能である。
【０００８】
しかし、既に設置してある燃料油タンクの場合、筒状のカバー内に送油口とそれに連なる送油管を収納しなければならず、送油口とそれに連なる送油管の連結を外さないと取り付けられない。だが送油管の連結を外すと、送油管の中に空気が入り送油されなくなる事故が起き、復旧に多大な労力を要するため、既に設置してある燃料油タンクには取り付けられない。
【０００９】
また、下方に位置する内筒を地面より下方でアンカーネジにより固定するには、防護カバーの地面下にコンクリート基礎を埋め込まなくてはならない。この点も既に設置してある燃料油タンクの場合、送油管が地面下に埋め込まれていためそれに損傷を与えずに掘り出してから、基礎を埋め込まなくてはならないという煩わしさがあり、事実上不可能である。
【００１０】
さらに、外筒の上端のみを燃料油タンクの下部に固定し、下方に位置する内筒は固定しないことも考えられるが、内筒は外筒に対して摺動自在に遊嵌されているため、簡単に手で持ち上げられることになり防護の役目を果たすことができない。
【００１１】
そこで本考案は、既に設置してある燃料油タンクにも取り付けられ、タンク下面のみで確実に固定でき、送油口に関係する危険に対処できる燃料油タンクの防護カバーを提供することを目的とする。
【課題を解決するための手段】
【００１２】
請求項１の考案における燃料油タンクの防護カバーは、燃料油を貯蔵するタンク１を支持し四隅に位置する脚２を設け、タンク１下面に送油口６を設けた燃料油タンクにおいて、タンク１下面と地面Ｅの間に防護カバー10を設けて送油口６とそれに連なる送油管７を収容し、タンク１下面の耳部1aに取り付け固定する取付ブラケット20を設け、取付ブラケット20に背面上防護カバー12を固定し、背面上防護カバー12に正面上防護カバー11を固定し、正面上防護カバー11の下方に上下位置を調節自在に正面下防護カバー13を固定し、背面上防護カバー12の下方に上下位置を調節自在に背面下防護カバー14を固定したものである。
【００１３】
請求項２の考案における燃料油タンクの防護カバーは、取付ブラケット20を正面取付ブラケット21と背面取付ブラケット22で構成し、正面取付ブラケット21と背面取付ブラケット22でタンク１下面の耳部1aを挟み、正面取付ブラケット21にタンク１下面に接当する正面支持片21aを設け、背面取付ブラケット22にタンク１下面に接当する背面支持片22aを設け、正面取付ブラケット21と背面取付ブラケット22を締め付ける締付ボルト23を設け、背面取付ブラケット22に背面上防護カバー12を固定するものである。
【００１４】
請求項３の考案における燃料油タンクの防護カバーは、正面取付ブラケット21または背面取付ブラケット22のタンク１下面の耳部1a側に小面積で突出する複数の滑り止め突起21bを設け、締付ボルト23を締め付けたとき滑り止め突起21bがタンク１下面の耳部1aに食い込むようにしたものである。
【考案の効果】
【００１５】
請求項１の考案によれば、タンク下面の耳部に取り付け固定する取付ブラケットを設け、取付ブラケットに背面上防護カバーを固定し、背面上防護カバーに正面上防護カバーを固定し、正面上防護カバーの下方に上下位置を調節自在に正面下防護カバーを固定し、背面上防護カバーの下方に上下位置を調節自在に背面下防護カバーを固定し、正面上防護カバーと背面上防護カバー及び正面下防護カバーと背面下防護カバーで送油口と送油管を前後から挟むように収容するから、既に設置してある燃料油タンクにも取り付けられる。
【００１６】
また、タンク下面と地面の間に防護カバーを設けて送油口とそれに連なる送油管を収容し、送油口とそれに連なる送油管に悪意の者が手を出すことはできないから、送油口に関係する危険に対処できる。
【００１７】
請求項２の考案によれば、取付ブラケットを正面取付ブラケットと背面取付ブラケットで構成し、正面取付ブラケットと背面取付ブラケットでタンク下面の耳部を挟み、正面取付ブラケットにタンク下面に接当する正面支持片を設け、背面取付ブラケットにタンク下面に接当する背面支持片を設け、正面取付ブラケットと背面取付ブラケットを締め付ける締付ボルトを設け、正面取付ブラケットは正面支持片がタンク下面に接当して正面側に回動せず、背面取付ブラケットは背面支持片がタンク下面に接当して背面側に回動せず、締付ボルトで正面取付ブラケットと背面取付ブラケットは一体に締め付けられるから、タンク下面のみで確実に固定できる。
【００１８】
請求項３の考案によれば、正面取付ブラケットまたは背面取付ブラケットのタンク下面の耳部側に小面積で突出する複数の滑り止め突起を設け、締付ボルトを締め付けたとき滑り止め突起がタンク下面の耳部に食い込むようにし、正面取付ブラケットと背面取付ブラケットはタンク下面の耳部から滑り落ちることが無いから、タンク下面のみで確実に固定できる。
【考案を実施するための最良の形態】
【００１９】
既に設置してある燃料油タンクにも取り付けられ、送油口に関係する危険に対処できるようにするという目的を、タンク１下面と地面Ｅの間に防護カバー10を設けて送油口６とそれに連なる送油管７を収容し、タンク１下面の耳部1aに取り付け固定する取付ブラケット20を設け、取付ブラケット20に背面上防護カバー12を固定し、背面上防護カバー12に正面上防護カバー11を固定し、正面上防護カバー11の下方に上下位置を調節自在に正面下防護カバー13を固定し、背面上防護カバー12の下方に上下位置を調節自在に背面下防護カバー14を固定して実現した。
【００２０】
また、タンク下面のみで確実に固定できるようにするという目的を、取付ブラケット20を正面取付ブラケット21と背面取付ブラケット22で構成し、正面取付ブラケット21と背面取付ブラケット22でタンク１下面の耳部1aを挟み、正面取付ブラケット21にタンク１下面に接当する正面支持片21aを設け、背面取付ブラケット22にタンク１下面に接当する背面支持片22aを設け、正面取付ブラケット21と背面取付ブラケット22を締め付ける締付ボルト23を設け、背面取付ブラケット22に背面上防護カバー12を固定して実現した。
【００２１】
さらに、タンク下面のみで確実に固定できるようにするという目的を、正面取付ブラケット21または背面取付ブラケット22のタンク１下面の耳部1a側に小面積で突出する複数の滑り止め突起21bを設け、締付ボルト23を締め付けたとき滑り止め突起21bがタンク１下面の耳部1aに食い込むようにして実現した。
【実施例１】
【００２２】
図１は、本考案の一実施例に係る燃料油タンクの防護カバー10である。
【００２３】
この燃料油タンクは、燃料油ストーブや暖房・給湯用ボイラー等の燃料油を貯蔵するタンク１であり、約５００リットルの白灯油を貯蔵する家庭用の屋外に設置されるもので、燃料油を貯蔵する略立方体のタンク１と、タンク１を支持し四隅に位置する４本の脚２と、タンク１の上面に設けた燃料油の量を計測するゲージ３と、同じく上面に設けた密閉できる給油口４と、同じく上面に設けたエアー抜き５と、タンク１の下面に設けた送油口６とからなる。
【００２４】
タンク１は、２枚の四角い皿状の鋼板からなり、その凸部を外側として外周のフランジ状の耳部1aで溶接して合わせ、その耳部1aを垂直方向として設置する。タンク１の左右の耳部1aから下方に脚２を設け、２本の脚２で耳部1aを挟みボルトで止着し固定する。各々の脚２はその下端を束石８により設置される地面Ｅに固定され、タンク１が地震などで転倒しないようにする。
【００２５】
タンク１の上面の、ゲージ３はタンク１内の油量を計測して表示し、給油口４には開閉自在な蓋が設けられ、タンクローリーから給油口４を通じてタンク１内に給油され、エアー抜き５はタンク１内外を連通し燃料油の消費に伴い空気をタンク１内に導入する。
【００２６】
送油口６には、油中のゴミを濾過するフィルター、タンク１内底部に溜まった水を抜くための水抜き栓、カートリッジタンクなどへ給油するための小出し口、タンク１からフィルターへの送油を停止するための開閉バルブ、送油管７を接続する送油管接続口が設けられる。
【００２７】
送油口６はその上部のネジでタンク１に取り付け、送油口６全体を回しながら油が漏れない程度に緊密になるまで回して固定する。
【００２８】
送油口６のフィルターが汚れた場合、開閉バルブを閉じた後、簡単に覆いを外して取り出して新品と交換できるようになっている。しかし、悪意の者が開閉バルブを閉じないままフィルターの覆いを外すと、タンク１内の油が流出する。
【００２９】
タンク１から油に混じって水がボイラー等の燃焼機器に送られ、燃焼機器が破損するのを防止するため、タンク１内底部に水を溜める一定の水溜め容積を備えている。しかし、その水溜め容積を超えて水が溜まると水が燃焼機器に送られてしまう。送油口６の水抜き栓は、定期的に水溜め部の水を外部に排水して水が燃焼機器に送られるのを防ぐためのものであり、水抜き栓を開け水に続いて油が出てきたら閉じるものである。しかし、悪意の者が水抜き栓を開けたままにするとタンク１内の油が流出する。
【００３０】
送油口６の小出し口には、カートリッジタンクなどへ給油できるよう小出しバルブと短いホースが設けられ、小出しバルブを開閉して給油するようになっている。しかし、悪意の者が小出しバルブを開けたままにするとタンク１内の油が流出する。
【００３１】
送油口６の送油管接続口と燃料油ストーブ等とは送油管７で連結され、燃料油はその自重により送油される。送油管７は、その配管が容易なように比較的軟らかく細い銅管が使用され、その送油口６の近くは送油口６に連結が容易なように、また燃料油タンクが地震で揺れても連結部が損傷を受けないように、螺旋状に大きく何重かに巻いた柔軟部7aが設けられる。送油管７は比較的軟らかい銅管で直径が８mmの細いものが使用されているため、悪意の者が送油管７を切断しようとすれば容易に切断でき、送油管７が切断されるとタンク１内の油が流出する。
【００３２】
その燃料油タンクの送油口６に関係する危険に対処した防護カバー10は、タンク１下面と地面Ｅの間に設けられ、正面上防護カバー11と背面上防護カバー12と正面下防護カバー13と背面下防護カバー14と、それらをタンク１下面に固定する取付ブラケット20からなる。
【００３３】
タンク１下面側に位置する正面上防護カバー11と背面上防護カバー12とは、平面視が略コの字状の板で、その左右両端のフランジ状部で合わせて筒状の空間を形成し、その空間に送油口６とそれに連なる送油管７を収容する。
【００３４】
地面Ｅ側に位置する正面下防護カバー13と背面下防護カバー14とは、平面視が略コの字状の板で、その両端の突端部で合わせて正面上防護カバー11と背面上防護カバー12の内側に位置し、正面上防護カバー11と背面上防護カバー12とによる空間よりやや小さな筒状の空間を形成し、その空間に送油管７を収容する。
【００３５】
タンク１下面の耳部1aに取り付け固定する取付ブラケット20を設け、取付ブラケット20を垂直方向の板で横方向に細長い正面取付ブラケット21と背面取付ブラケット22で構成する。
【００３６】
背面取付ブラケット22の垂直面の左右両端から後方に折り曲げた板である一対の背面支持片22aを設け、一対の背面支持片22aに上下方向に複数の取付孔22bを設け、背面支持片22aの取付孔22bに背面上防護カバー12の上部をリベット18で固定する。
【００３７】
背面上防護カバー12に正面上防護カバー11を左右フランジ状部の４本のボルト15で固定る。
【００３８】
正面上防護カバー11の下方内側に上下位置を調節自在に正面下防護カバー13を固定するが、正面上防護カバー11の中央下方に縦方向の長孔11aを設け、その長孔11aを通したボルト16により調節自在に正面下防護カバー13を固定する。また、正面上防護カバー11に多数の透孔11bを設け、送油口６とそれに連なる送油管７の不具合を視認でき、空気が流通するようにする。
【００３９】
背面上防護カバー12の下方内側に上下位置を調節自在に背面下防護カバー14を固定するが、背面上防護カバー12の中央下方に縦方向の長孔12aを設け、その長孔12aを通したボルト17により調節自在に背面下防護カバー14を固定する。また、背面上防護カバー12に多数の透孔12bを設け、送油口６とそれに連なる送油管７の不具合を視認でき、空気が流通するようにする。
【００４０】
正面下防護カバー13と背面下防護カバー14の下端は地面Ｅに接触又は接近させる。
【００４１】
取付ブラケット20の正面取付ブラケット21と背面取付ブラケット22は、その垂直方向の板でタンク１下面の耳部1aを前後から挟む。
【００４２】
正面取付ブラケット21の垂直面上端から手前方向に折り曲げた正面支持片21aを設け、正面支持片21aの上面はタンク１下面に接当する。
【００４３】
背面取付ブラケット22の垂直面の左右両端から後方に折り曲げた板である一対の背面支持片22aは、その上端面でタンク１下面に接当する。
【００４４】
正面取付ブラケット21と背面取付ブラケット22を通して締め付ける締付ボルト23を水平方向に３本設け、締付ボルト23はタンク１下面の耳部1aの下端直下に位置する。
【００４５】
正面取付ブラケット21のタンク１下面の耳部1a側に、小面積で突出する複数の滑り止め突起21bを設ける。滑り止め突起21bはバーリング加工のように板に孔を開けてから絞り出したもので、実施例では締付ボルト23の上方近傍に３個所設け、締付ボルト23を締め付けたとき滑り止め突起21bがタンク１下面の耳部1aに食い込むようにする。
【００４６】
正面取付ブラケット21の垂直面下端から後方に約３０度の角度折り曲げた締付補助片21cを設け、締付補助片21cの先端は背面取付ブラケット22の垂直面に接当し、締付ボルト23を締め付けたとき正面取付ブラケット21と背面取付ブラケット22がタンク１下面の耳部1aに喰い付くようにする。
【００４７】
以上の実施例では、背面取付ブラケット22に背面上防護カバー12を固定した例を示したが、正面取付ブラケット21に正面上防護カバー11を固定するようにしても良い。
【００４８】
また、正面取付ブラケット21に滑り止め突起21bを設けた例を示したが、背面取付ブラケット22に滑り止め突起21bを設けても良い。
【図面の簡単な説明】
【００４９】
【図１】燃料油タンクの防護カバーの一実施例を示す正面図である。
【図２】その側面図である
【図３】図１の正面上防護カバーと正面下防護カバーを取り除いた図である。
【図４】図１の要部を示す部分拡大図である。
【図５】図２の要部を示す部分拡大図である。
【図６】図３の要部を示す部分拡大図である。
【図７】図４の平面図である。
【図８】図６の取付ブラケットを示す部分拡大図である。
【図９】図５の取付ブラケットを示す部分拡大図である。
【符号の説明】
【００５０】
１  タンク
1a  耳部
２  脚
６  送油口
７  送油管
10  防護カバー
11  正面上防護カバー
12  背面上防護カバー
13  正面下防護カバー
14  背面下防護カバー
20  取付ブラケット
21  正面取付ブラケット
21a  正面支持片
21b  滑り止め突起
22  背面取付ブラケット
22a  背面支持片
23  締付ボルト
Ｅ  地面
【図１】
0003115857.tif 000003
【図２】
0003115857.tif 000004
【図３】
0003115857.tif 000005
【図４】
0003115857.tif 000006
【図５】
0003115857.tif 000007
【図６】
0003115857.tif 000008
【図７】
0003115857.tif 000009
【図８】
0003115857.tif 000010
【図９】
0003115857.tif 000011